(57)【要約】  【課題】  本発明は、ＣＡＤ設計に関し、より詳細にはＣＡＤデータベースと購買データベースとを連携して設計に使用する製品や部品の選択に必要な情報を提示する設計支援プログラム、設計支援方法および設計支援システムに関する。【解決手順】  本発明は、ＣＡＤデータの登録に際して登録対象の製品または部品に対応する登録テンプレートに属性情報を入力してＣＡＤデータと関連付けてＣＡＤデータベースに登録し、検索に際して検索対象の製品または部品に対応する検索テンプレートにより属性情報を指定してＣＡＤデータベースを検索し、検索結果の一覧から指定された製品または部品を購買データベースから検索して購入データを取得しグラフ化して表示するよう構成する。【選択図】    図１
2007156928.tif 000002
【特許請求の範囲】
【請求項１】
ＣＡＤデータを記憶したＣＡＤデータベースを備えるＣＡＤサーバと、購入した製品および部品の購入実績を記憶した購買データベースを備える購買サーバとにネットワークを介して接続するＣＡＤ端末の設計支援プログラムであって、
前記ＣＡＤ端末のコンピュータが、
前記ＣＡＤデータベースに製品または該製品に使用される部品のＣＡＤデータを、該製品または部品に対して定められた属性情報と関連付けて登録するＣＡＤデータ登録手順と、
前記属性情報の一部、または全部の入力に基づいて、該属性情報に該当する製品または部品を前記ＣＡＤデータベースから検索するＣＡＤデータ検索手順と、
前記ＣＡＤデータ検索手順で検索された製品または部品の中から選択された該製品または部品に対する前記購入実績を前記購買データベースから指定された検索条件で検索し、検索結果の購入実績を記憶する購入データ検索手順と、
前記記憶された購入実績を指定された条件でグラフ化して表示する購入実績表示手順と、
を実行するための設計支援プログラム。
【請求項２】
前記ＣＡＤデータ登録手順は、登録する製品または部品を識別する識別情報の入力に基づいて前記属性情報を入力する登録テンプレートを表示し、該表示された登録テンプレートに入力された属性情報と該製品または部品のＣＡＤデータとを関連付けて登録する、
ことを特徴とする請求項１記載の設計支援プログラム。
【請求項３】
前記ＣＡＤデータ検索手順は、検索する製品または部品を識別する識別情報の入力に基づいて前記属性情報を指定する検索テンプレートを表示し、該表示された検索テンプレートに入力された属性情報により検索を行う、
ことを特徴とする請求項１記載の設計支援プログラム。
【請求項４】
ＣＡＤデータを記憶したＣＡＤデータベースを備えるＣＡＤサーバと、購入した製品および部品の購入実績を記憶した購買データベースを備える購買サーバとにネットワークを介して接続するＣＡＤ端末における設計支援方法であって、
前記ＣＡＤ端末のコンピュータが、
前記ＣＡＤデータベースに製品または該製品に使用される部品のＣＡＤデータを、該製品または部品に対して定められた属性情報と関連付けて登録するＣＡＤデータ登録手順と、
前記属性情報の一部、または全部の入力に基づいて、該属性情報に該当する製品または部品を前記ＣＡＤデータベースから検索するＣＡＤデータ検索手順と、
前記ＣＡＤデータ検索手順で検索された製品または部品の中から選択された該製品または部品に対する前記購入実績を前記購買データベースから指定された検索条件で検索し、検索結果の購入実績を記憶する購入データ検索手順と、
前記記憶された購入実績を指定された条件でグラフ化して表示する購入実績表示手順と、
を実行する設計支援方法。
【請求項５】
ＣＡＤデータを記憶したＣＡＤデータベースを備えるＣＡＤサーバと、購入した製品および部品の購入実績を記憶した購買データベースを備える購買サーバとにネットワークを介して接続するＣＡＤ端末の設計支援システムであって、
前記ＣＡＤデータベースに製品または該製品に使用される部品のＣＡＤデータを、該製品または部品に対して定められた属性情報と関連付けて登録するＣＡＤデータ登録手段と、
前記属性情報の一部、または全部の入力に基づいて、該属性情報に該当する製品または部品を前記ＣＡＤデータベースから検索するＣＡＤデータ検索手段と、
前記ＣＡＤデータ検索手段で検索された製品または部品の中から選択された該製品または部品に対する前記購入実績を前記購買データベースから指定された検索条件で検索し、検索結果の購入実績を記憶する購入データ検索手段と、
前記記憶された購入実績を指定された条件でグラフ化して表示する購入実績表示手段と、
を有することを特徴とする設計支援システム。
【発明の詳細な説明】
【技術分野】
【０００１】
本発明は、ＣＡＤ設計に関し、より詳細にはＣＡＤデータベースと購買データベースとを連携して設計に使用する製品や部品の選択に必要な情報を提示する設計支援プログラム、設計支援方法および設計支援システムに関する。
【背景技術】
【０００２】
製品設計においては、コンピュータを利用したＣＡＤ（Computer Aided Design）設計が一般的に用いられるようになってきている。ＣＡＤ設計は、全体の構想設計から部分に分けて詳細設計を行い、続いて組立設計といった設計の流れが一般的であり、このときできるだけ標準部品を使用して設計および製品コストを低く押さえることが行われる。このため、ＣＡＤシステムは、既設計の部品データや購入部品のデータを標準部品としてデータベースに蓄え、これらの標準部品を使用するようにしている。また、データベースに蓄えられた部品を基に、それらのデータを変更して類似部品の設計を行うことも行われている。
【０００３】
製品設計において、標準部品を使用するために部品の選定を行う場合には設計者がデータベースを検索してＣＡＤシステムのディスプレイ上に表示し、求める部品かどうかを確認していた。また、選定において幾つかの標準部品が候補に挙がり、その中で最も使用量の多い部品、あるいは最もコストの低い部品を使用したいと考えたとき、購買のデータベースを検索して使用量やコストを調べることを行っていた。
【０００４】
これらに関連する技術として、標準部品を登録し検索できる設計方法が提案されている。この方法は標準部品の登録に際し、基本構造を規定する設計情報と詳細仕様を規定する属性値および形状の特徴を表す形状特徴データを関連付けてデータベースに登録し、設計において属性値と形状特徴データとを入力してデータベースから入力データに整合する標準部品を検索する方法が提案されている（例えば、特許文献１）。
【特許文献１】特開平９−１７９８９２号公報
【発明の開示】
【発明が解決しようとする課題】
【０００５】
上記に示したようにＣＡＤ設計においては、標準部品を記憶したデータベースを備え、使用する部品をデータベースから検索してディスプレイ上に表示し、寸法を確認しながら求める部品かどうかを確認していた。また、使用量やコストを調べるためにＣＡＤシステムを一旦離れ、購買システムにアクセスして調べることを行っていた。また、使用量の傾向をみるため他のシステムを用いてグラフ化することを行っていた。このため、使用する部品を選定するまでに多くの時間を要し、設計は必ずしも効率的とは言えなかった。
【０００６】
特許文献１に提案された方法は標準部品の検索が短時間ででき、設計の効率向上に寄与すると考えられる。しかし、属性値として持たせる情報は登録する部品の種類によって大きく異なり、どの部分をどの様な名称で呼んで属性値として登録するのかと言う点に関して考慮されていない。また、その標準部品がどの程度購入され、単価は幾らか、と言った情報まで提示するものではない。
【０００７】
本発明は、登録する製品または部品のＣＡＤデータと製品または部品に対応して定められた属性情報とを関連付けて登録し、使用に際しても検索する製品または部品のＣＡＤデータと対応して定められた属性情報で検索できると共に、購買データベースとシームレスに連携して購入実績のデータを得ることができる設計支援プログラム、設計支援方法および設計支援システムを提供することを目的とする。
【課題を解決するための手段】
【０００８】
本発明の設計支援プログラム、設計支援方法および設計支援システムは以下のように構成される。
（１）第１の発明
第１の発明は、製品または部品のＣＡＤデータの登録において定められた属性情報と対応付けて登録し、この属性情報で検索を可能とし、検索された製品または部品の中から選択された製品または部品の購入実績データを取得してグラフ表示する設計支援プログラムである。
【０００９】
その原理を図１を用いて説明する。第１の発明は、ＣＡＤデータベースを備えるＣＡＤサーバと購買データベースを備える購買サーバとネットワークで接続するＣＡＤ端末で、そのＣＡＤ端末のプログラムはＣＡＤデータ登録手順１０、ＣＡＤデータ検索手順２０、購入データ検索手順３０および購入実績表示手順４０で構成する。これらの個々の構成要素について説明する。
【００１０】
ＣＡＤデータ登録手順１０は、ＣＡＤデータベースに製品またはその製品に使用される部品のＣＡＤデータを、その製品または部品に対して定められた属性情報と関連付けて登録する。例えば、登録する部品がギアであるなら、ギアと言う部品に対して定めた属性情報と対応付けてギアのＣＡＤデータを登録する。登録する部品がプーリであれば、プーリと言う部品に定められた属性情報ということになる。
【００１１】
ＣＡＤデータ検索手順２０は、登録された属性情報の一部、または全部の入力により、該当する製品または部品をＣＡＤデータベースから検索する。
【００１２】
購入データ検索手順３０は、ＣＡＤデータ検索手順２０で検索された製品または部品の中から選択された製品または部品の購入実績を購買データベースから検索する。このとき、指定された検索条件で検索され、検索された結果である購入実績の情報は記憶される。指定された検索条件とは、例えば購入期間などである。
【００１３】
購入実績表示手順４０は、記憶された購入実績を指定された条件でグラフ化して表示する。指定された条件とは、例えば棒グラフとか円グラフなどのグラフの種類などである。
（２）第２の発明
第２の発明は、第１の発明のＣＡＤデータ登録手順が、登録する製品または部品を識別する識別情報の入力により、その入力された識別情報に対応する登録テンプレートを表示する。そして、表示された登録テンプレートに入力された情報とその製品または部品のＣＡＤデータとを関連付けて登録する。登録テンプレートに入力された情報は製品または部品の属性情報である。
（３）第３の発明゛
第３の発明は、第１の発明のＣＡＤデータ検索手順が、検索する製品または部品を識別する識別情報の入力により、その入力された識別情報に対応する検索テンプレートを表示する。そして、その表示された検索テンプレートに入力された情報により検索を行う。検索テンプレートに入力された情報は製品または部品の属性情報である。
（４）第４の発明
第４の発明は、第１の発明の設計支援方法である。
（５）第５の発明
第５の発明は、第１の発明の設計支援システムである。
【発明の効果】
【００１４】
第１の発明により、製品または部品に対して定められた属性情報で登録され、定められた属性情報で検索できるので確実に且つ短時間でＣＡＤ設計で使用する製品や部品の検索ができる。また、購買データベースと連携しているため部品の選択が短時間で可能な設計支援プログラムの提供ができる。
【００１５】
第２の発明により、ＣＡＤデータの登録に際して製品や部品に対応した登録テンプレートが提示されるので、定められた属性情報を記載漏れなく入力して登録できる。
【００１６】
第３の発明により、ＣＡＤデータベースの検索に際して製品や部品に対応した検索テンプレートが提示されるので、定められた属性情報の中から指定して検索できる。
【００１７】
第４〜第５の発明により、第１の発明と同様の効果を呈する設計支援方法と設計支援システムの提供ができる。
【発明を実施するための最良の形態】
【００１８】
本発明の実施例について図２から図１２を用いて説明する。
【００１９】
まず最初に全体の設計支援システムの構成例を図２を用いて説明する。図２において、ＣＡＤ端末１００はネットワーク４００を介してＣＡＤサーバ２００および購買サーバ３００と接続している。ＣＡＤサーバ２００は、ＣＡＤデータを格納したＣＡＤデータベース２０１を備えている。また、購買サーバ３００は、外部調達した製品または部品の購入実績のデータを記憶した購入データベース３０１を備えている。ネットワーク４００は例えばＬＡＮ（Local Area Network）である。
【００２０】
図３は、図２に示すＣＡＤ端末１００の構成例を示すもので、プログラムやデータを制御する制御部１１０、ネットワーク４００を介してＣＡＤサーバ２００や購買サーバ３００とデータの遣り取りを行う通信制御部１２０、設計者に対して検索結果などの表示を行うディスプレイ１３１や設計者から登録テンプレートや検索テンプレートなどに入力を行うキーボード１３２に対する制御を行う入出力制御部１３０、登録するＣＡＤデータなどを記憶するＣＡＤデータ記憶部１４１、購買サーバ３００の購買データベース３０１を検索して得られた購入実績データを取得して記憶する購入実績データ記憶部１４２、オペレータによって入力される識別情報から登録テンプレートや検索テンプレートを特定して抽出するための識別情報判定テーブル１４３、製品や部品に対応した登録テンプレートを記憶する登録テンプレート記憶部１４４、製品や部品に対応した検索テンプレートを記憶する検索テンプレート記憶部１４５および設計支援プログラム１６０をローディングし実行する主記憶１５０で構成する。
【００２１】
設計支援プログラムはさらに、ＣＡＤデータ登録部１６１、ＣＡＤデータ検索部１６２および購入データ検索部１６３から構成し、ＣＡＤデータ登録部１６１は登録テンプレート抽出処理部１６１−１とＣＡＤデータ登録処理部１６１−２、ＣＡＤデータ検索部１６２は検索テンプレート抽出処理部１６２−１とＣＡＤデータ検索処理部１６２−２、購入データ検索部１６３は購入データ検索処理部１６３−１と購入実績データグラフ化処理部１６３−２から成る。これらの設計支援プログラムの各部の機能を次に説明する。登録する製品または部品のＣＡＤデータはＣＡＤデータ記憶部１４１に記憶されているものとする。
【００２２】
登録テンプレート抽出処理部１６１−１は、オペレータがキーボード１３２から入力した登録する製品または部品の識別情報を取得し、この識別情報を基に識別情報判定テーブル１４３を参照して登録テンプレートを特定し、登録テンプレート記憶部１４４から特定した登録テンプレートを抽出し、ディスプレイ１３１に表示する。そして、表示された登録テンプレートの属性情報の各項目にオペレータから入力された属性情報を取得する。
【００２３】
ＣＡＤデータ登録処理部１６１−２は、ネットワーク４００を介してＣＡＤサーバ２００にアクセスし、登録テンプレート抽出処理部１６１−１で取得した属性情報とＣＡＤデータ記憶部１４１に記憶しているＣＡＤデータとをＣＡＤサーバ２００に送信し、これらを関連付けてＣＡＤデータベース２０１に登録する。
【００２４】
検索テンプレート抽出処理部１６２−１は、オペレータから入力された検索対象の製品または部品のＣＡＤデータを識別する識別情報を取得し、この識別情報を基に識別情報判定テーブル１４３を参照して検索テンプレートを特定し、検索テンプレート記憶部１４５から特定した検索テンプレートを抽出し表示する。そして、表示された検索テンプレートの検索項目にオペレータから入力された情報（即ち、属性情報）を取得する。
【００２５】
ＣＡＤデータ検索処理部１６２−２は、検索テンプレート抽出処理部１６２−１で取得した属性情報を検索キーとしてネットワーク４００を介してＣＡＤサーバ２００のＣＡＤデータベース２０１を検索し、該当する製品または部品の図番、名称を含む属性情報およびＣＡＤデータをＣＡＤデータ記憶部１４１に取り込み、図番、名称、その他の属性情報を一覧表にしてディスプレイ１３１に表示する。
【００２６】
購入データ検索処理部１６３−１は、ディスプレイ１３１に表示された製品または部品からオペレータが選択した図番を取得すると共にオペレータが入力した検索条件を取得し、この図番と検索条件を検索キーとしてネットワーク４００を介して購買サーバ３００の購買データベース３０１を検索する。該当する購入実績データを一覧表にしてディスプレイ１３１に表示すると共に購入実績データ記憶部１４２に記憶する。また、購入データ検索処理部１６３−１はオペレータが直接入力した図番も受け付け、同様に検索可能とする。
【００２７】
購入実績データグラフ化処理部１６３−２は、オペレータが入力したグラフ化の条件を取得し、購入実績データ記憶部１４２に記憶された購入実績データをグラフ化しディスプレイ１３１に表示する。
【００２８】
以上で設計支援プログラム１６０の説明は終了し、続いて識別情報判定テーブル１４３について説明する。識別情報判定テーブル１４３は、ＣＡＤデータを登録したり検索する際にオペレータによって入力される識別情報に対応する登録または検索テンプレートを特定するテーブルで、図４に示すように識別情報に対して製品または部品の名称、登録テンプレートのＩＤおよび検索テンプレートのＩＤを対応付けたテーブルである。ここでは、識別情報を図番の上位３桁の記号としている。図４には識別情報ＣＡ８に対応して名称はギアであり、その登録テンプレートのＩＤと検索テンプレートのＩＤが設定されている。
【００２９】
次に登録テンプレートの例について図５と図６を用いて説明する。
【００３０】
図５は、登録テンプレートのリスト形式の例を示すもので、図５（ａ）は機械部品であるギアの登録テンプレートの例である。オペレータが例えばギアを登録するためにＣＡ８を入力すると設計支援プログラム１６０は識別情報判定テーブル１４３を参照してギアの登録テンプレートＩＤを基に登録テンプレート記憶部１４４から抽出し表示する。図５（ａ）は表示された登録テンプレートにオペレータが各項目（属性情報の項目になる）にデータを入力した例を示している。この例では、図番のＣＡ８８８はオペレータが識別情報として入力した図番の上位３桁に設計支援プログラム１９０が追番を付与して記入され、名称は前述した対応表から記入され、それ以降の項目に対してオペレータが入力するものである。図５（ａ）に示した登録テンプレートは、図番、名称、内径、公差（内径に対する公差）、外径、公差（外径に対する公差）、幅、公差（幅に対する公差）、歯数などの項目である。図５（ｂ）は、プーリの登録テンプレートの例を同様に示している。
【００３１】
図６はカード式の登録テンプレートの例を示している。図６（ａ）は、図５と同様にオペレータが入力した識別情報に基づいて識別情報判定テーブル１４３を参照して登録テーブルのＩＤを特定し、登録テンプレート記憶部１４４から登録テンプレートを抽出する。そして、登録テンプレートの各項目について項目毎に順次表示する。最初と２番目の項目である図番と名称のカードは図５（ａ）で説明したように設計支援プログラム１６０が記入し表示し、３番目の項目のカードからオペレータが入力することになる。入力しない限り次のカードが表示されないようになっているので、属性情報の入力漏れが無くなる。図６（ｂ）はプーリのカード式の登録テンプレートの例を示している。
【００３２】
検索テンプレートは、例えば登録テンプレートのうち検索可能とする項目が設定される違いがある程度で、略同一であるので説明は省略する。
【００３３】
登録テンプレート記憶部１４４は、識別情報判定テーブル１４３で設定されている登録テンプレートＩＤに対応付けて図５に示す登録テンプレートのフォーマットが格納されている。検索テンプレート記憶部１４５に対しても同様である。
【００３４】
次に、属性情報として掲げられる項目の例を図７に示す。ここでは、機械部品であるギア、ストレートプーリ、片側フラットプーリ、両側フラットプーリ、歯付ベルト、平ベルトの例を示した。これらの部品毎に属性情報の項目を設定した登録テンプレートが作成され、登録テンプレートＩＤと対応付けられて登録テンプレート記憶部１４４に記憶されている。検索テンプレートについても同様である。
【００３５】
次にＣＡＤ端末１００の処理フローについて図８と図９を用いて説明する。ここでは、ＣＡＤデータの登録および検索において、属性情報を指定する登録テンプレートおよび検索テンプレートの抽出にオペレータが入力する識別情報は図番の上記３桁の記号を用いることとする。図８はＣＡＤデータの登録の処理フローを示すもので、先ずオペレータがキーボード１３２から入力した識別情報を取得する。続いて、取得した識別情報を基に識別情報判定テーブル１４３を参照し、登録テンプレートＩＤを特定する。この登録テンプレートＩＤにより登録テンプレート記憶部１４４から登録テンプレートを抽出する。そして、この登録テンプレートをディスプレイ１３１に表示する（Ｓ１１０、Ｓ１３０）。
【００３６】
続いて、表示された登録テンプレートにオペレータが入力した属性情報を取得する。そして、取得した属性情報は登録テンプレートに設定された全ての項目に対して入力されたものであるかどうか、をチェックする。もし、未入力の項目があればその項目の入力を促し、改めて入力された属性情報を取得しチェックを行う。全ての項目に入力されていることが確認されればその属性情報とＣＡＤデータとをＣＡＤサーバ２００に送信しＣＡＤデータベース２０１にそれらを関連付けて登録する（Ｓ１４０−Ｓ１７０）。
【００３７】
次に、検索処理の処理フローについて説明する。図９において、ＣＡＤデータを検索するためにオペレータによってキーボード１３２から入力された検索対象の製品または部品の識別情報を取得する。取得した識別情報を基に識別情報テーブル１４３を参照して対応する検索テンプレートＩＤを特定する。検索テンプレートＩＤにより検索テンプレート記憶部１４５を参照し、検索テンプレートを抽出しディスプレイ１３２に表示する（Ｓ２１０−Ｓ２３０）。
【００３８】
表示された検索テンプレートにオペレータが入力した属性情報を取得し、取得した属性情報を検索キーとしてネットワーク４００を介してＣＡＤサーバ２００のＣＡＤデータベース２０１を検索する。検索された製品または部品の属性情報とＣＡＤデータとを取り込みＣＡＤデータ記憶部１４１に記憶する。そして、属性情報をもとに一覧表を作成しディスプレイ１３２に表示する（Ｓ２４０−Ｓ２６０）。
【００３９】
オペレータが一覧表から選択した図番を取得し、さらにオペレータが入力した購入実績データ検索のための検索条件を取得する。図番と検索条件を基に購買サーバ３００の購買データベース３０１を検索する（Ｓ２７０−Ｓ２９０）。
【００４０】
検索結果の購入実績データを取り込み購入実績データ記憶部１４２に記憶する。続いてオペレータが入力したグラフ化条件を取得し、そのグラフ化条件で購入実績データ記憶部１４２の購入実績データをグラフ化する。そして、グラフ化された購入実績データをディスプレイ１３２に表示する（Ｓ３００−Ｓ３２０）。
【００４１】
以上で処理フローの説明を終了し、このフローで処理された検索結果とグラフ化の例を次に説明する。
【００４２】
図１０は、ＣＡＤデータの検索結果の例を示すものである。これはオペレータが識別情報としてＣＡ８を入力し、検索テンプレートに外径８ｍｍを指定して検索し、その結果ＣＡ８８８、ＣＡ８２５、ＣＡ８１１の３つのギアが検索されたことを示している。
【００４３】
図１１に購入実績データの検索結果の例を示す。これはオペレータが図１０に示す３つのギアの内、内径が等しいＣＡ８８８とＣＡ８０５を指定し、検索条件として検索期間を直近の半年間の購入実績を指定した例である。検索結果を単価が低い順に並べている。
【００４４】
購入実績データをグラフ化した例を図１２に示す。これは、内径１ｍｍから８ｍｍまでのギアの直近の半年間の購入実績を検索し、その結果を内径別に棒グラフでグラフ化するよう指定されたものである。
【００４５】
上記の処理フローの説明において、ＣＡＤデータの登録あるいは検出の際に入力する識別情報を、図番の上位３桁の記号の例で説明したが、識別情報は名称であってもよい。識別情報の入力時に名称のリストを表示し、その中から選択させるようにしてもよい。
【００４６】
また、登録テンプレートへの属性情報の入力はオペレータがキーボード１３２から登録テンプレートの各項目に対して入力してもよいし、このキーボード入力と併せてＣＡＤデータを図形表示させて登録テンプレートの項目に対応する図形要素を図示しないマウスなどを用いて指定し、その寸法値を取得して入力させるようにしてもよい。
【００４７】
また、ＣＡＤデータの検索結果を一覧表に表示し、その中からオペレータによって指定された製品または部品を図形表示するようにしてもよい。このようにすることで、検索した製品または部品の詳細な部分の確認ができる。
【００４８】
以上の実施例に関し、さらに以下の付記を開示する。
【００４９】
（付記１）
ＣＡＤデータを記憶したＣＡＤデータベースを備えるＣＡＤサーバと、購入した製品および部品の購入実績を記憶した購買データベースを備える購買サーバとにネットワークを介して接続するＣＡＤ端末の設計支援プログラムであって、
前記ＣＡＤ端末のコンピュータが、
前記ＣＡＤデータベースに製品または該製品に使用される部品のＣＡＤデータを、該製品または部品に対して定められた属性情報と関連付けて登録するＣＡＤデータ登録手順と、
前記属性情報の一部、または全部の入力に基づいて、該属性情報に該当する製品または部品を前記ＣＡＤデータベースから検索するＣＡＤデータ検索手順と、
前記ＣＡＤデータ検索手順で検索された製品または部品の中から選択された該製品または部品に対する前記購入実績を前記購買データベースから指定された検索条件で検索し、検索結果の購入実績を記憶する購入データ検索手順と、
前記記憶された購入実績を指定された条件でグラフ化して表示する購入実績表示手順と、
を実行するための設計支援プログラム。
【００５０】
（付記２）
前記ＣＡＤデータ登録手順は、登録する製品または部品を識別する識別情報の入力に基づいて前記属性情報を入力する登録テンプレートを表示し、該表示された登録テンプレートに入力された属性情報と該製品または部品のＣＡＤデータとを関連付けて登録する、
ことを特徴とする付記１記載の設計支援プログラム。
【００５１】
（付記３）
前記ＣＡＤデータ検索手順は、検索する製品または部品を識別する識別情報の入力に基づいて前記属性情報を指定する検索テンプレートを表示し、該表示された検索テンプレートに入力された属性情報により検索を行う、
ことを特徴とする付記１記載の設計支援プログラム。
【００５２】
（付記４）
ＣＡＤデータを記憶したＣＡＤデータベースを備えるＣＡＤサーバと、購入した製品および部品の購入実績を記憶した購買データベースを備える購買サーバとにネットワークを介して接続するＣＡＤ端末における設計支援方法であって、
前記ＣＡＤ端末のコンピュータが、
前記ＣＡＤデータベースに製品または該製品に使用される部品のＣＡＤデータを、該製品または部品に対して定められた属性情報と関連付けて登録するＣＡＤデータ登録手順と、
前記属性情報の一部、または全部の入力に基づいて、該属性情報に該当する製品または部品を前記ＣＡＤデータベースから検索するＣＡＤデータ検索手順と、
前記ＣＡＤデータ検索手順で検索された製品または部品の中から選択された該製品または部品に対する前記購入実績を前記購買データベースから指定された検索条件で検索し、検索結果の購入実績を記憶する購入データ検索手順と、
前記記憶された購入実績を指定された条件でグラフ化して表示する購入実績表示手順と、
を実行する設計支援方法。
【００５３】
（付記５）
ＣＡＤデータを記憶したＣＡＤデータベースを備えるＣＡＤサーバと、購入した製品および部品の購入実績を記憶した購買データベースを備える購買サーバとにネットワークを介して接続するＣＡＤ端末の設計支援システムであって、
前記ＣＡＤデータベースに製品または該製品に使用される部品のＣＡＤデータを、該製品または部品に対して定められた属性情報と関連付けて登録するＣＡＤデータ登録手段と、
前記属性情報の一部、または全部の入力に基づいて、該属性情報に該当する製品または部品を前記ＣＡＤデータベースから検索するＣＡＤデータ検索手段と、
前記ＣＡＤデータ検索手段で検索された製品または部品の中から選択された該製品または部品に対する前記購入実績を前記購買データベースから指定された検索条件で検索し、検索結果の購入実績を記憶する購入データ検索手段と、
前記記憶された購入実績を指定された条件でグラフ化して表示する購入実績表示手段と、
を有することを特徴とする設計支援システム。
【００５４】
（付記６）
前記設計支援プログラムは、さらにコンピュータが
前記ＣＡＤデータ検索手順で検索された製品または部品の一覧を表示し、該一覧から指定された製品または部品に対応するＣＡＤデータを図形表示する図形表示手順、
を実行する付記１記載の設計支援プログラム。
【００５５】
（付記７）
前記ＣＡＤデータ登録手順は、前記登録テンプレートに基づいて入力された属性情報が該入力テンプレートで指定された項目を全て入力されている場合に登録する、
ことを特徴とする付記２記載の設計支援プログラム。
【００５６】
（付記８）
前記ＣＡＤデータ登録手順の登録テンプレートへの入力は、前記ＣＡＤデータの識別情報に基づいて登録テンプレートを表示するとともに該ＣＡＤデータの図形を表示し、該登録テンプレートの属性情報の項目を選択し、続いて該図形の対応する要素を指示すると該要素の寸法値が該項目に入力される、
ことを特徴とする付記２の設計支援プログラム。
【図面の簡単な説明】
【００５７】
【図１】発明の原理図である。
【図２】設計支援システムの構成例である。
【図３】ＣＡＤ端末の構成例である。
【図４】識別情報判定テーブルのデータである。
【図５】登録テンプレートの例（その１）例ある。
【図６】登録テンプレートの例（その２）である。
【図７】属性情報の項目例である。
【図８】ＣＡＤ端末の処理フロー例（登録処理）である。
【図９】ＣＡＤ端末の処理フロー例（検索処理）である。
【図１０】ＣＡＤデータの検索結果例である。
【図１１】購入実績データの検索結果例である。
【図１２】購入実績データのグラフ化例である。
【符号の説明】
【００５８】
１０    ＣＡＤデータ登録手順
２０    ＣＡＤデータ検索手順
３０    購入データ検索手順
４０    購入実績表示手順
１００  ＣＡＤ端末
１１０  制御部
１２０  通信制御部
１３０  入出力制御部
１３１  ディスプレイ
１３２  キーボード
１４０  外部記憶
１４１  ＣＡＤデータ記憶部
１４２  購入実績データ記憶部
１４３  識別情報判定テーブル
１４４  登録テンプレート記憶部
１４５  検索テンプレート記憶部
１５０  主記憶
１６０  設計支援プログラム
１６１  ＣＡＤデータ登録部
１６１−１  登録テンプレート抽出処理部
１６１−２  ＣＡＤデータ登録処理部
１６２  ＣＡＤデータ検索部
１６２−１  検索テンプレート抽出処理部
１６２−２  ＣＡＤデータ検索処理部
１６３  購入データ検索部
１６３−１  購入データ検索処理部
１６３−２  購入実績データグラフ化処理部
２００  ＣＡＤサーバ
２０１  ＣＡＤデータベース
３００  購買サーバ
３０１  購買データベース
４００  ネットワーク
【図１】
2007156928.tif 000003
【図２】
2007156928.tif 000004
【図３】
2007156928.tif 000005
【図４】
2007156928.tif 000006
【図５】
2007156928.tif 000007
【図６】
2007156928.tif 000008
【図７】
2007156928.tif 000009
【図８】
2007156928.tif 000010
【図９】
2007156928.tif 000011
【図１０】
2007156928.tif 000012
【図１１】
2007156928.tif 000013
【図１２】
2007156928.tif 000014